(57)【特許請求の範囲】
【請求項１】
軒樋の底板後端と鼻板との間の隙間を隠す長尺略平板状の軒先隙間隠し板の取付構造であって、軒樋を吊り下げ支持する吊り具本体と、同吊り具本体を固定し軒先へ取り付ける取付部材との間に、その下端部にて軒先隙間隠し板を支持する支持片を設け、同支持片を、その上端部の被狭持部を吊り具本体、取付部材間に狭持させてその被狭持部後方から垂下させた下端部にて軒先隙間隠し板を支持し、同支持片を、吊り具本体、取付部材間にスライド自在となるよう設けてなる軒先隙間隠し板の取付構造。
【請求項２】
支持片を、その被狭持部を吊り具本体、取付部材間に固定されるようになしたことを特徴とする請求項１記載の軒先隙間隠し板の取付構造。
【請求項３】
軒先隙間隠し板は、その裏面前後の両端部に横向きに開口した支持溝を有し、支持片は、その下端部に該支持溝に係合する二股状の前支持部と後支持部とを有してなることを特徴とする請求項１又は２記載の請求項記載の軒先隙間隠し板の取付構造。
【請求項４】
前支持部及び後支持部は、支持片下端部の前支持部又は、後支持部のいずれか一方から他方が切り起こし形成されてなることを特徴とする請求項３記載の軒先隙間隠し板の取付構造。
【発明の詳細な説明】
【０００１】
【発明の属する技術分野】
本発明は、軒先隙間隠し板の取付構造に係わり、詳しくは、軒樋の底板後端とその下端が後方へ傾いた鼻板との間の隙間を隠す軒先隙間隠し板の取付構造に関するものである。
【０００２】
【従来の技術】
従来から、特に、図１１に示す如く、鼻板２の下端が後方へ傾斜しており、軒樋１の底板１１後端と鼻板２との間の隙間が大きい場合には、長尺板状の軒先隙間隠し部材９を軒樋１を吊り下げ支持する吊り具４下方に配設して軒先の隙間隠し構造を構成していた。この場合、軒先隙間隠し部材９は、例えばその一縁端を、ねじ等の固定具を使用して鼻板２下端に固定するようにして配設されていた。
【０００３】
したがって、上記の軒先の隙間隠し構造は、軒先隙間隠し部材９を、軒樋１が軒先に固定された後に施工することが可能で、軒先隙間隠し部材９を段取り良く設置することができる。
【０００４】
【発明が解決しようとする課題】
しかしながら、上記従来の技術においては、軒先隙間隠し部材９を上記固定具を使用して固定する必要があり、設置に手間のかかるものであった。
【０００５】
ところで、軒先隙間隠し部材を固定具を使用することなく取り付け出来る、専用の支持具も提案されている。しかし、この場合、各種形状の軒樋に対応してその支持具を準備する必要があり、また、設置される鼻板の角度に応じて種類の異なるものを揃える必要があって、金型投資コストが大きくなるという問題があった。
【０００６】
本発明は、上記事由に鑑みてなしたもので、その目的とするところは、各種形状の軒樋に対応して、軒樋の底板後端と鼻板との間の隙間を隠すことの出来る軒先隙間隠し板の取付構造を提供することにある。
【０００７】
【課題を解決するための手段】
上記目的を達成するために、請求項１記載の軒先隙間隠し板の取付構造は、軒樋の底板後端と鼻板との間の隙間を隠す長尺略平板状の軒先隙間隠し板の取付構造であって、軒樋を吊り下げ支持する吊り具本体と、同吊り具本体を固定し軒先へ取り付ける取付部材との間に、その下端部にて軒先隙間隠し板を支持する支持片を設けてなる。
【０００８】
したがって、この場合、軒先隙間隠し板が、軒樋を吊り下げ支持する吊り具本体と、同吊り具本体を固定し軒先へ取り付ける取付部材との間に設けられた支持片の下端部にて支持される。
【０００９】
また、支持片を、その上端部の被狭持部を吊り具本体、取付部材間に狭持させてその被狭持部後方から垂下させた下端部にて軒先隙間隠し板を支持させてなる。
【００１０】
したがって、この場合、支持片は、その上端部の被狭持部が、吊り具本体、取付部材間に狭持されるとともに、軒先隙間隠し板が、該被狭持部後方から垂下された下端部にて支持される。
【００１１】
また、支持片を、吊り具本体、取付部材間にスライド自在となるよう設けている。
【００１２】
したがって、この場合、支持片が、吊り具本体、取付部材間にてスライド自在となる。
【００１３】
また、請求項２記載の軒先隙間隠し板の取付構造は、請求項１記載の支持片を、その被狭持部が吊り具本体、取付部材間に固定されるようなしている。
【００１４】
したがって、この場合、支持片の被狭持部が吊り具本体、取付部材間に固定される。
【００１５】
また、請求項３記載の軒先隙間隠し板の取付構造は、請求項１又は２に記載の軒先隙間隠し板が、その裏面前後の両端部に横向きに開口した支持溝を有し、支持片は、その下端部に該支持溝に係合する二股状の前支持部と後支持部とを有してなることとしている。
【００１６】
したがって、この場合、軒先隙間隠し板の裏面前後の両端部に横向きに開口した支持溝が、支持片の下端部の二股状の前支持部と後支持部を該支持溝に係合させ軒先隙間隠し板が支持される。
【００１７】
また、請求項４記載の軒先隙間隠し板の取付構造は、請求項３記載の前支持部及び後支持部が、支持片下端部の前支持部又は、後支持部のいずれか一方から他方が切り起こし形成されてなることとしている。
【００１８】
したがって、この場合、支持片の下端部の二股状の前支持部と後支持部のいずれか一方から他方が切り起こし形成される。
【００１９】
【発明の実施の形態】図１乃至図８は、参考例を示し、図９、図１０は、本発明の請求項１に対応する実施の形態を示している。
【００２０】
［参考例］図１は、参考例の軒先隙間隠し板の取付構造を示す側面図である。図２は、同軒先隙間隠し板の取付構造の吊り具本体、取付部材、支持片の組合せ状態の斜視図である。図３は、同軒先隙間隠し板の取付構造の要部である、吊り具本体、取付部材、支持片を示す分解斜視図である。図４は、同軒先隙間隠し板の取付構造の施工説明図である。図５は、同軒先隙間隠し板の取付構造の支持片の、別の実施例の下端部を示す部分斜視図である。図６は、図５に示す実施例の支持片下端部の展開図である。図７は、参考例の軒先隙間隠し板の取付構造の、支持片の更に別の参考例の説明図である。図８は、同軒先隙間隠し板の取付構造の支持片下端部の更に別の参考例を示し、（ａ）は部分斜視図、（ｂ）は展開図である。
【００２１】
この参考例の軒先隙間隠し板の取付構造は、軒樋１の底板１１後端と鼻板２との間の隙間を隠す長尺略平板状の軒先隙間隠し板３の取付構造であって、軒樋１を吊り下げ支持する吊り具本体４と、同吊り具本体４を固定し軒先へ取り付ける取付部材５との間に、その下端部にて軒先隙間隠し板３を支持する支持片６を設けてなる。
【００２２】
また、該参考例の軒先隙間隠し板の取付構造においては、支持片６を、その上端部の被狭持部６１を吊り具本体４、取付部材５間に狭持させてその被狭持部６１後方から垂下させた下端部にて軒先隙間隠し板３を支持させてなる。又、該参考例の軒先隙間隠し板の取付構造においては、支持片６を、その被狭持部６１が吊り具本体４、取付部材５間に固定されるようなしてもいる。又、該参考例の軒先隙間隠し板の取付構造においては、軒先隙間隠し板３は、その裏面前後の両端部に横向きに開口した支持溝３２、３４を有し、支持片６は、その下端部に該支持溝３２、３４に係合する二股状の前支持部６３と後支持部６４とを有してもいる。又、該参考例の軒先隙間隠し板の取付構造においては、前支持部６３及び後支持部６４は、支持片６下端部の前支持部６３又は、後支持部６４のいずれか一方から他方を切り起こし形成してもいる。
【００２３】
軒樋１は、例えば図１に示すような断面略コ字状であって、鋼板のような金属板の両面に合成樹脂材料を被覆して形成され、前面板１２が底板１１前端から前方へいくように傾斜して立ち上がり、さらに上部へいくにしたがって後方に傾斜しており、前面板１２上部には前耳１３が形成されている。また、底板１１後端から後面板１４が略垂直に立ち上がり、この後面板１４上部には後耳１５が形成されている。この場合、前耳１３及び後耳１５には、後述する吊り具本体４にて安定して支持されて軒先に設置されるよう、それぞれ支持溝が長手方向に沿って設けてある。
【００２４】
軒先隙間隠し板３は、鋼板のような金属板の両面に合成樹脂材料を被覆し、裏面の前側に前耳３１、後側に後耳３３を有して、所定巾寸法の長尺略平板状に形成されている。そして、前耳３１及び後耳３３には、後述する支持片６にて支持される横向きに開口した支持溝３２、３４が形成されている。
【００２５】
吊り具本体４は、この場合、軒樋１の、前耳１３の支持溝に係合し前側を支持する前支持部４１と、後耳１５の支持溝に係合し後側を支持する後支持部４２とを連結する連結片４３の略中央に上下に貫通する長孔４４を有し、合成樹脂材料にて形成されている。この場合、後支持部４２は、上方に湾曲するように突出しており、後述する取付部材５、及び支持片６の前後方向のスライド範囲を制限するとともに、取付部材５との間で支持片６を狭持する後側の狭持部を形成するようにしてある。
【００２６】
取付部材５は、吊り具本体４を軒先である鼻板２へ取り付け固定するためのもので、この場合、図３に示す如く、支持片６を狭持するとともに固定する前狭持部５１と、この前狭持部５１から上方へ屈曲した後狭持部５２と、この後狭持部５２から斜め後方に折曲し形成された取付板５３とを有し、金属板材料にて形成されている。この場合、前狭持部５１には、吊り具本体４を固定する固定手段である固定ねじ７が挿通される貫通孔５１ａが穿設されている。この前狭持部５１及び後狭持部５２は、補強のためと吊り具本体４及び支持片６が円滑に位置決めされスライドされるのとを兼ねて、その両縁端を下側に折曲してある。
【００２７】
なお、上記したように、取付部材５を金属板材料にて形成することにて、その製作用の金型を調節して、建物側の鼻板２の角度の変化に対応したものを容易に製作できる利点を有しているが、金属板材料以外に合成樹脂材料にて形成しても良い。また、取付部材５を上記吊り具本体４と分離形成することにて、後述する支持片６とともに各種軒樋形状に適用することが可能となる。
【００２８】
支持片６は、軒先隙間隠し板３を支持するもので、この場合、図３に示す如く、例えば金属板材料にて、吊り具本体４、取付部材５間に狭持され固定される前側の被狭持部６１と、この前側の被狭持部６１から上方後方へと屈曲し設けられた後側の被狭持部６１と、この後側の被狭持部６１後方から垂下させた垂下片６２の下端部に前支持部６３、後支持部６４とを有して形成されている。この場合、前側の被狭持部６１には、被狭持部６１が吊り具本体４、取付部材５間に固定されるよう、吊り具本体４を固定する固定ねじ７が挿通される貫通孔６１ａが穿設されている。また、前支持部６３と後支持部６４とは、垂下片６２先端部が上記軒先隙間隠し板３の支持溝３２、３４にばね性をもって係合し得るように二股状に、後支持部６４、６４から前支持部６３が切り起こし形成されている。なお、この支持片６は上記の金属板材料によるものの他、合成樹脂材料にて形成しても良い。
【００２９】
上記の部材による軒先隙間隠し板の取付構造においては、まず、吊り具本体４、取付部材５間に支持片６を配設し、固定ねじ７を、吊り具本体４下側から長孔４４、貫通孔６１ａ及び貫通孔５１ａに挿通してハンドル８に設けられた雌ねじに螺合させ、次いで、軒樋の底板後端と鼻板との間の隙間に対応した適切な位置にて、吊り具本体４、取付部材５及び支持片６を固定する。そして、所定間隔をもって、取付部材５の取付板５３を鼻板２に木ねじ等の固定具にて固定した後、軒樋１を吊り具本体４に支持させ、さらに吊り具本体４の後部に設けられた支持片６下端部の前支持部６３と後支持部６４に、軒先隙間隠し板３の支持溝３２、３４を支持させる。
【００３０】
このとき、吊り具本体４と、取付部材５及び支持片６とは、長孔４４に沿って図４（ａ）〜（ｃ）に示す如く、吊り具本体４を軒先の前後にスライド自在に設けることが出来、軒先からの軒樋１の出代を調節することが出来る。そして、この場合、軒先隙間隠し板３と軒樋１及び鼻板２との隙間を、図４（ａ）の隙間の無い状態から図４（ｂ）の隙間Ｄ２、図４（ｃ）の隙間Ｄ３と隙間の大きさを調節することができ、容易に現場状況に適合させることができる。
【００３１】
したがって、以上説明した軒先隙間隠し板の取付構造によると、軒先隙間隠し板３が、軒樋１を吊り下げ支持する吊り具本体４と、同吊り具本体４を固定し軒先へ取り付ける取付部材５との間に設けられた支持片６の下端部にて支持されるので、各種形状の軒樋１に対応して、軒樋１の底板１１後端と鼻板２との間の隙間を隠すことが出来る。
【００３２】
また、支持片６は、その上端部の被狭持部６１が、吊り具本体４、取付部材５間に狭持されるとともに、軒先隙間隠し板３が、該被狭持部６１後方から垂下された下端部にて支持されるので、例えば鼻板２へ支持片６を固着させる等の施工作業をする必要が無く、以て、容易に軒先隙間隠し板３を支持片６にて支持させることが出来る。また、支持片６の被狭持部６１が吊り具本体４、取付部材５間に固定されるので、軒先隙間隠し板３が確実に支持され、以て、軒樋１の底板１１後端と鼻板２との間の隙間の大きさが適切に維持される。
【００３３】
また、軒先隙間隠し板３の裏面前後の両端部に横向きに開口した支持溝３２、３４が、支持片６の下端部の二股状の前支持部６３と後支持部６４を該支持溝３２、３４に係合させ軒先隙間隠し板３が支持されるので、軒先隙間隠し板３下面の表面側から支持部分が目立たず美観上優れ、更に、ばね性をもって軒先隙間隠し板３を容易に支持させることもできて使い勝手が良い。また、支持片６の下端部の二股状の前支持部６３と後支持部６４のいずれか一方から他方が切り起こし形成されるので、支持片６を小型にすることが出来、軽量化及び低コスト化が図れる。
【００３４】
なお、支持片６の前支持部６３及び後支持部６４は、以上説明した形状の他、図５に示すように、後支持部６４、６４の間から、その先端に巾広部６３ａを一体に持つよう前支持部６３を切り起こしして前側に折曲させても良い。すなわち、このものは、図６に示すような展開図にて、支持片６の下端部の前支持部６３が後支持部６４から切り起こし形成され、この場合、前支持部６３の巾広部６３ａが支持溝３２に係合して、より安定して軒先隙間隠し板３を支持できる。
【００３５】
また、支持片６の前支持部６３及び後支持部６４は上記によるものの他、更に、図７（ａ）に示すように、先端に加わる応力を分散させばね性を高めるように前支持部６３の中間部分を折曲させたもの、また、図７（ｂ）に示すように、前支持部６３、６３の間から後側に、その先端に巾広部６４ａを一体に持つよう後支持部６４を切り起こしし、折曲させたものでも良い。また更に、図８（ａ）に示すように、例えば、前支持部６３を、後支持部６４、６４の間から舌片状に切り起こしして前側に折曲させ、該後支持部６４、６４先端を連結部６４ｂにて連結させても良い。すなわち、このものは、図８（ｂ）に示すような展開図にて、支持片６の下端部の前支持部６３が後支持部６４から窓状に切り起こし形成され、この場合、後支持部６４、６４の先端が、連結部６４ｂにて連結されて支持溝３４に係合する。したがって、より安定して軒先隙間隠し板３を支持できるとともに、連結された後支持部６４、６４の先端が変形しにくく、以て、軒先隙間隠し板３から外力が該後支持部に加わっても安定して支持出来る効果を奏する。
【００３６】
［実施の形態］図９は、実施の形態の軒先隙間隠し板の取付構造の一要部である支持片を示す斜視図である。図１０は、同軒先隙間隠し板の取付構造の説明図である。
【００３７】
この実施の形態の軒先隙間隠し板の取付構造は、支持片の構成のみが参考例と異なるもので、他の構成部材は参考例のものと同一で、該実施の形態の軒先隙間隠し板の取付構造は、支持片６を、吊り具本体４、取付部材５間にスライド自在となるよう設けている。
【００３８】
詳しくは、この支持片６は、図９に示すように、参考例のものと同じく、同一外形形状の吊り具本体４、取付部材５間に狭持され固定される前側の被狭持部６１と、この前側の被狭持部６１から上方後方へと屈曲し設けられた後側の被狭持部６１と、この後側の被狭持部６１後方から垂下させた垂下片６２の下端部に二股状に形成された前支持部６３と後支持部６４とを有して、金属板材料にて形成されており、前側の被狭持部６１に、同被狭持部６１が吊り具本体４、取付部材５間にスライド自在に固定されるよう、前述の固定ねじ７が挿通される、前後に長穴状の貫通孔６１ｂが穿設されている。なお、この支持片６は上記の金属板材料によるものの他、合成樹脂材料にて形成しても良い。
【００３９】
上記構成による軒先隙間隠し板の取付構造においては、まず、吊り具本体４、取付部材５間に上記支持片６を配設し、固定ねじ７を、吊り具本体４下側から長孔４４、貫通孔６１ｂ及び貫通孔５１ａに挿通してハンドル８に設けられた雌ねじに螺合させ、軒樋の底板後端と鼻板との間の隙間に対応した適切な位置にて、吊り具本体４、取付部材５及び支持片６を固定する。
【００４０】
すなわち、この場合、支持片６も、吊り具本体４、取付部材５間にてスライド自在となっており、図１０に示すように、吊り具本体４と支持片６とを、それぞれ取付部材５に対して所望の位置に狭持し固定できる。したがって、取付部材５の取付板５３を鼻板２に固定し、軒樋１を吊り具本体４に支持させ、吊り具本体４の後部に設けられた支持片６下端部の垂下片６２に軒先隙間隠し板３を支持させたときの軒先隙間隠し板３と前側の軒樋１及び後側の鼻板２との隙間を、それぞれ隙間の無い状態から図１０の隙間Ｄ４等、軒先の構成に合わせて前後を適切に加減して隙間の大きさを調節できる。
【００４１】
したがって、以上説明した軒先隙間隠し板の取付構造によると、支持片６が、吊り具本体４、取付部材５間にてスライド自在となるので、軒先隙間隠し板３と前側の軒樋１及び後側の鼻板２との隙間を適宜調節することが出来、以て、より美観上優れた軒先を構成できる。
【００４２】
【発明の効果】
上述の如く、本発明の請求項１記載の軒先隙間隠し板の取付構造は、軒先隙間隠し板が、軒樋を吊り下げ支持する吊り具本体と、同吊り具本体を固定し軒先へ取り付ける取付部材との間に設けられた支持片の下端部にて支持されるので、各種形状の軒樋に対応して、軒樋の底板後端と鼻板との間の隙間を隠すことが出来る。
【００４３】
また、支持片は、その上端部の被狭持部が、吊り具本体、取付部材間に狭持されるとともに、軒先隙間隠し板が、該被狭持部後方から垂下された下端部にて支持されるので、例えば鼻板へ支持片を固着させる等の施工作業をする必要が無く、以て、容易に軒先隙間隠し板を支持片にて支持させることが出来る。
【００４４】
また、支持片が、吊り具本体、取付部材間にてスライド自在となるので、軒先隙間隠し板と前側の軒樋及び後側の鼻板との隙間を適宜調節することが出来、以て、より美観上優れた軒先を構成できる。
【００４５】
また、請求項２記載の軒先隙間隠し板の取付構造は、請求項１記載のものの効果に加え、支持片の被狭持部が吊り具本体、取付部材間に固定されるので、軒先隙間隠し板が確実に支持され、以て、軒樋の底板後端と鼻板との間の隙間の大きさが適切に維持される。
【００４６】
また、請求項３記載の軒先隙間隠し板の取付構造は、請求項１又は２のものの効果に加え、軒先隙間隠し板の裏面前後の両端部に横向きに開口した支持溝が、支持片の下端部の二股状の前支持部と後支持部を該支持溝に係合させ軒先隙間隠し板が支持されるので、軒先隙間隠し板下面の表面側から支持部分が目立たず美観上優れる。また、ばね性をもって軒先隙間隠し板を容易に支持させることもできて使い勝手が良い。
【００４７】
また、請求項４記載の軒先隙間隠し板の取付構造は、請求項３記載のものの効果に加え、支持片の下端部の二股状の前支持部と後支持部のいずれか一方から他方が切り起こし形成されるので、支持片を小型にすることが出来、軽量化及び低コスト化が図れる。
【図面の簡単な説明】
【図１】参考例の軒先隙間隠し板の取付構造を示す側面図である。
【図２】同軒先隙間隠し板の取付構造の吊り具本体、取付部材、支持片の組合せ状態の斜視図である。
【図３】同軒先隙間隠し板の取付構造の要部である吊り具本体、取付部材、支持片を示す分解斜視図である。
【図４】同軒先隙間隠し板の取付構造の施工説明図である。
【図５】同軒先隙間隠し板の取付構造の支持片の、別の参考例の下端部を示す部分斜視図である。
【図６】図５に示す参考例の支持片下端部の展開図である。
【図７】参考例の軒先隙間隠し板の取付構造の、支持片の更に別の参考例の説明図である。
【図８】同軒先隙間隠し板の取付構造の支持片下端部の更に別の参考例を示し、（ａ）は部分斜視図、（ｂ）は展開図である。
【図９】実施の形態の軒先隙間隠し板の取付構造の一要部である支持片を示す斜視図である。
【図１０】同軒先隙間隠し板の取付構造の説明図である。
【図１１】本発明の従来例である軒先隙間隠し板の取付構造を示す斜視図である。
【符号の説明】
１    軒樋
１１  底板
２    鼻板
３    軒先隙間隠し板
３２、３４  支持溝
４    吊り具本体
５    取付部材
６    支持片
６１  被狭持部
６３  前支持部
６４  後支持部
【図１】
0003539208.tif 000002
【図２】
0003539208.tif 000003
【図３】
0003539208.tif 000004
【図４】
0003539208.tif 000005
【図５】
0003539208.tif 000006
【図６】
0003539208.tif 000007
【図７】
0003539208.tif 000008
【図８】
0003539208.tif 000009
【図９】
0003539208.tif 000010
【図１０】
0003539208.tif 000011
【図１１】
0003539208.tif 000012